(57)【特許請求の範囲】
【請求項１】
下水が流入される最初沈殿池と、
この最初沈殿池によって処理された下水が流入され嫌気槽を有する生物反応槽と、
この生物反応槽からの下水が流入される最終沈殿池と
を具備する有機物注入装置において、
前記最終沈殿池からの返送汚泥が流入されると共に、前記最初沈殿池からの初沈引抜汚泥の一部が流入され微細化された汚泥が前記嫌気槽へ流出される汚泥微細化装置と、
最初沈殿池に設けられていて低分子有機物を測定する低分子有機物測定装置と、
この低分子有機物測定装置からの信号に基づき前記汚泥微細化装置から前記嫌気槽へ投入する汚泥量を制御する制御装置と
を具備したことを特徴とする有機物注入装置。
【請求項２】
前記低分子有機物計測装置として、ＢＯＤ計が使用されたこと
を特徴とする請求項1記載の有機物注入装置。
【請求項３】
前記低分子有機物計測装置として、有機酸計が使用されたこと
を特徴とする請求項1記載の有機物注入装置。
【発明の詳細な説明】
【０００１】
【発明の属する技術分野】
本発明は、降雨等による流入水中の有機物濃度の変動に対応可能な有機物注入装置に関するものである。
【０００２】
【従来の技術】
図２は、従来より一般に使用されている従来例の構成説明図である。
図において、１は、下水Ａが流入される最初沈殿池である。
２は、最初沈殿池１によって処理された下水Ａが流入され、嫌気槽３を有する生物反応槽である。
【０００３】
４は、生物反応槽２によって処理された下水Ａが流入される最終沈殿池である。
５は、最初沈殿池１と嫌気槽３とを連通する初沈汚泥引抜導入管である。
６は、最終沈殿池４と嫌気槽３とを連通する返送汚泥管である。
なお、最初沈殿池１の初沈引抜汚泥Ｂと、最終沈殿池４の余剰汚泥Ｃとは、外部に排出される。
【０００４】
以上の構成において、生物学的リン除去は、下水・汚水処理装置に嫌気部分と好気部分を設け、リン蓄積細菌のリン酸放出と過剰摂取の性質を用いた処理方法である。
【０００５】
生物学的リン除去には、降雨時等で流入水中の有機物濃度が低下した場合に、処理施設や処理装置でリンが上手く処理できないという問題点がある。
このリン除去能力の低下は、リン蓄積細菌が利用できる有機酸や発酵可能基質が不足した場合に生じると文献等で報告されている。
【０００６】
そこで流入水中の有機酸や発酵可能基質の不足を補うために、下記のような方法が報告されている。
（１）初沈引抜汚泥の嫌気槽への投入。
（２）初沈をバイパスして流入水を嫌気槽に投入。
（３）酸発酵槽を設け、発酵液を嫌気槽へ投入。
【０００７】
【発明が解決しようとする課題】
しかしながら、このような装置においては、下記の問題点がある。
（１）初沈引抜汚泥の嫌気槽への投入。
初沈引抜汚泥の大部分は、浮遊性有機物で、生物反応槽２において微生物が摂取し難い有機物である。
【０００８】
初沈引抜汚泥を投入した直後の効果は、限定的である。
また、継続して汚泥を投入下場合、処理施設や処理装置におけるBＯＤ負荷を過剰に増大させる可能性がある。
【０００９】
（２）初沈をバイパスして流入水を嫌気槽に投入。
初沈において有機物が除去されないため、生物反応槽２に流入する有機物濃度は増加する。
しかし、もともと降雨等では、有機物濃度が希薄なため、バイパスの効果も限定される。
【００１０】
（３）酸発酵槽を設け、発酵液を嫌気槽へ投入。
初沈汚泥を酸発酵させた有機物は、有機酸や発酵可能基質等が増加しているため、発酵液の投入の効果は大きいと考えられる。
しかし、酸発酵槽の設置スペースが必要であるため、敷地面積に余裕がある場合に限られる。
【００１１】
また、生物学的リン除去法の他に、化学的リン除去法がある。化学的リン除去法は、好気槽末端にＰＡＣ等の凝集剤を注入し、終沈においてりんを凝集沈殿させる方法である。
長所としては、適切な注入率を投じることで確実にリン除去を行うことができる。
一方、短所としては、汚泥発生量の増大やアルミニウム塩の含有が問題となる。
【００１２】
本発明の目的は、上記の課題を解決するもので、生物学的リン除去において、降雨等で流入水中の有機物濃度が低下した場合に、初沈汚泥や余剰汚泥を利用して、微生物が利用しやすい有機物や嫌気槽において容易に発酵可能な有機物を短時間で生成し、最適注入することを目的とする有機物注入装置を提供することにある。
【００１３】
【課題を解決するための手段】
このような目的を達成するために、本発明では、請求項１記載の有機物注入装置においては、
下水が流入される最初沈殿池と、この最初沈殿池によって処理された下水が流入され嫌気槽を有する生物反応槽と、この生物反応槽からの下水が流入される最終沈殿池とを具備する有機物注入装置において、
前記最終沈殿池からの返送汚泥が流入されると共に、前記最初沈殿池からの初沈引抜汚泥の一部が流入され微細化された汚泥が前記嫌気槽へ流出される汚泥微細化装置と、最初沈殿池に設けられていて低分子有機物を測定する低分子有機物測定装置と、この低分子有機物測定装置からの信号に基づき前記汚泥微細化装置から前記嫌気槽へ投入する汚泥量を制御する制御装置とを具備したことを特徴とする。
【００１４】
本発明の請求項２においては、請求項1記載の有機物注入装置において、
前記低分子有機物計測装置として、ＢＯＤ計が使用されたことを特徴とする。
【００１５】
本発明の請求項３においては、請求項1記載の有機物注入装置において、
前記低分子有機物計測装置として、有機酸計が使用されたことを特徴とする。
【００１６】
以下図面を用いて本発明を詳しく説明する。
図１は本発明の一実施例の要部構成説明図である。
図において、図２と同一記号の構成は同一機能を表す。
以下、図２と相違部分のみ説明する。
【００１７】
図において、１１は、初沈汚泥引抜導入管５の途中に設けられた汚泥微細化装置である。
汚泥微細化装置１１は、汚泥中の遅生物分解物質や微生物の細胞壁などを破砕、微細化および可溶化するものである。
【００１８】
１２は、最初沈殿池に設けられ、低分子有機物を計測する低分子有機物計測装置である。
この場合は、低分子有機物計測装置として、有機酸計が使用されている。
【００１９】
１３は、低分子有機物計測装置１２からの信号に基づき、汚泥微細化装置１１の動作を制御する制御装置である。
１４は、返送汚泥管６に一端が連通され、他端が汚泥微細化装置１１に連通される返送汚泥導入管である。
【００２０】
以上の構成において、有機酸計１２により、生物反応槽２の流入水の有機酸濃度を連続でモニタリングする。
有機酸濃度が基準値を下回った場合、汚泥微細化装置１１の運転を開始する。
【００２１】
都市下水における処理場で、有機酸濃度が１５mg/l以下の場合、処理水リン濃度が悪化する場合が多いと報告されている。
基準値は処理施設や処理装置ごとに異なるが、この１５mg/l程度が目安となる。
【００２２】
有機酸濃度に応じて、制御装置１１において、汚泥微細化装置１１から嫌気槽３へ投入する汚泥量をコントロールする。
有機酸濃度が基準値以上に回復した場合、制御装置１１において、汚泥微細化装置１１の運転を停止する。
【００２３】
この結果、
（１）微生物が利用し易い有機物や嫌気槽において容易に発酵可能な有機物を短時間で生成出来るため、降雨時でも処理水質が向上出来る有機物注入装置が得られる。
【００２４】
（２）降雨時のリン除去において、薬品を使用せずに、初沈汚泥等の廃棄物を有効利用でき、環境に優しい有機物注入装置が得られる。
【００２５】
なお、以上の説明は、本発明の説明および例示を目的として、特定の好適な実施例を示したに過ぎない。したがって本発明は、上記実施例に限定されることなく、その本質から逸脱しない範囲で更に多くの変更、変形をも含むものである。
【００２６】
【発明の効果】
以上説明したように、本発明の請求項１及び請求項２によれば、次のような効果がある。
前記初沈汚泥引抜導入管の途中に設けられた汚泥微細化装置と、前記最初沈殿池に設けられ低分子有機物を計測する低分子有機物計測装置と、この低分子有機物計測装置からの信号に基づき前記汚泥微細化装置の動作を制御する制御装置と、前記返送汚泥管に一端が連通され他端が前記汚泥微細化装置に連通される返送汚泥導入管とが設けられた。
【００２７】
従って、
（１）微生物が利用しやすい有機物や嫌気槽において容易に発酵可能な有機物を短時間で生成出来るため、降雨時でも処理水質が向上出来る有機物注入装置が得られる。
【００２８】
（２）降雨時のリン除去において、薬品を使用せずに、初沈汚泥等の廃棄物を有効利用でき、環境に優しい有機物注入装置が得られる。
【００２９】
本発明の請求項２によれば、次のような効果がある。
（１）汚泥微細化装置の電力消費量の最小化が出来る有機物注入装置が得られる。
（２）汚泥投入によるBＯＤ負荷増加量の最小化、即ち、最適汚泥注入が出来る有機物注入装置が得られる。
【００３０】
本発明の請求項３によれば、次のような効果がある。
低分子有機物計測装置として、有機酸計が使用されたので、低分子有機物そのものを直接に正確に計測できるので、より精度が向上された有機物注入装置が得られる。
【００３１】
従って、本発明によれば、降雨等による流入水中の有機物濃度の変動に対応可能な有機物注入装置を実現することが出来る。
【図面の簡単な説明】
【図１】本発明の一実施例の要部構成説明図である。
【図２】従来より一般に使用されている従来例の要部構成説明図である。
【符号の説明】
１        最初沈殿池
２        生物反応槽
３        嫌気槽
４        最終沈殿池
５        初沈汚泥引抜導入管
６        返送汚泥管
１１      汚泥微細化装置
１２      低分子有機物計測装置
１３      制御装置
１４      返送汚泥導入管
Ａ        下水
Ｂ        初沈引抜汚泥
Ｃ        余剰汚泥
【図１】
0004120859.tif 000002
【図２】
0004120859.tif 000003